(57)【要約】【課題】スクリーンを開閉する開閉操作杆を垂直姿勢で平行移動させるための平行移動機構を備えたスクリーン装置において、前記平行移動機構の一部を形成するワイヤの端部をスクリーン枠の縦枠杆に簡単に連結することができるようにする。【解決手段】変向部材２８と連結部材２９とによってワイヤ連結装置２７を形成し、前記変向部材２８をスクリーン枠１の第２の縦枠杆２ｂの上端部に着脱自在に取り付けて、開閉操作杆４から前記第２の縦枠杆２ｂ内に導入されるワイヤ２４の向きを該変向部材２８で横向きから縦向きに変向し、且つ、前記連結部材２９を前記第２の縦枠杆２ｂの前記変向部材２８より下方の位置に着脱自在且つ位置調整可能に取り付けて、該連結部材２９に前記ワイヤ２４の端部を連結する。【選択図】図１
2015172316.tif 000002
【特許請求の範囲】
【請求項１】
左右何れか一方の第１の縦枠杆及び他方の第２の縦枠杆と、上方の横枠杆及び下方の横枠杆とを有するスクリーン枠；
前記スクリーン枠内に開閉自在に張設された横引き式のスクリーン；
上端を前記上方の横枠杆に案内されることにより前記スクリーン枠内に横移動自在なるように配設され、前記スクリーンを開閉操作する開閉操作杆；
前記下方の横枠杆に沿うように配設されて前記スクリーンの下端部をガイドし、一方の固定端が前記第１の縦枠杆の下端部に固定されると共に、他方の自由端が前記開閉操作杆の下端部の導入口を通じて該開閉操作杆の内部に出入り自在に導入された、可撓性を有するスクリーンガイド；
一方の第１端が前記スクリーンガイドの自由端に連結され、他方の第２端が、前記開閉操作杆の上端部から前記第２の縦枠杆の上端部を経て該第２の縦枠杆の内部に導入され、該第２の縦枠杆に連結されたワイヤ；
前記第２の縦枠杆の上端部に着脱自在に取り付けられ、該第２の縦枠杆内に導入される前記ワイヤの向きを横向きから下向きに変向する変向部材と、前記第２の縦枠杆に着脱自在且つ位置調整可能に取り付けられ、前記変向部材より下方の位置で前記ワイヤの第２端を前記第２の縦枠杆に連結する連結部材とを有するワイヤ連結装置；
を有することを特徴とするスクリーン装置。
【請求項２】
前記スクリーン枠の前記第２の縦枠杆は、凹形の断面形状を有していて、凹部を前記開閉操作杆側に向けた姿勢で配設され、また、該第２の縦枠杆は、前記凹部の両側に位置する左右の側壁と、該左右の側壁の内側面の相対する位置に上下方向に延在するように形成されたリブとを有し、
前記変向部材は、前記第２の縦枠杆内に嵌入する嵌入部と、該第２の縦枠杆に係止する係止部とを有し、
前記連結部材は、前記リブを挟んで相対する第１部材及び第２部材と、前記スクリーン枠の内側からの回転操作により前記第１部材と第２部材とを締め付けたり緩めたりする取付螺子とを有していて、該取付螺子で前記第１部材と第２部材とを締め付けることにより前記リブに固定され、前記取付螺子で前記第１部材と第２部材とを緩めることにより前記リブに沿って位置調整可能になる、
ことを特徴とする請求項１に記載のスクリーン装置。
【請求項３】
前記変向部材と連結部材とは、相互に合体可能であることを特徴とする請求項１又は２に記載のスクリーン装置。
【請求項４】
前記変向部材は、前記嵌入部に形成された左右一対の脚部を有し、該脚部を前記連結部材の第１部材と第２部材とで挟持させることにより、該連結部材と前記変向部材とが合体されることを特徴とする請求項３に記載のスクリーン装置。
【発明の詳細な説明】
【技術分野】
【０００１】
本発明は、遮光、断熱、目隠し、防虫、花粉の侵入防止等のため建物開口部に取り付けるスクリーン装置に関するものである。
【背景技術】
【０００２】
特許文献１や特許文献２に開示されているように、建物開口部に装着されるスクリーン枠内に、遮光、断熱、目隠し、防虫、花粉の侵入防止等のためのスクリーンを張設し、このスクリーンを、前記スクリーン枠内を横移動自在の開閉操作杆（可動框）で開閉操作するように構成された横引き式のスクリーン装置は公知である。
【０００３】
このようなスクリーン装置には、前記開閉操作杆の姿勢を垂直に保持して安定的に平行移動させるための平行移動機構が設けられている。この平行移動機構は、特許文献１に記載されているように、前記スクリーンの下端部をガイドするため前記スクリーン枠の下方の横枠杆に沿って配設された凹形断面で可撓性を有するスクリーンガイドと、該スクリーンガイドの一端をスクリーン枠に連結するためのワイヤとを有している。即ち、前記スクリーンガイドの一方の固定端は、前記スクリーン枠の左右何れか一方の第１の縦枠杆の下端部に固定され、前記スクリーンガイドの他方の自由端は、前記開閉操作杆の下端部に形成された導入口を通じて該開閉操作杆の内部に出入り自在に導入され、該自由端に前記ワイヤの一端が連結され、該ワイヤの他端は、前記開閉操作杆の上端部から、前記スクリーン枠の上方の横枠杆内を通って、前記スクリーン枠の第２の縦枠杆内に導入され、該第２の縦枠杆の内部に連結されている。
【０００４】
このように構成された従来のスクリーン装置は、該スクリーン装置を建物開口部に組み付ける際に、前記スクリーンガイドとワイヤとを所定の場所に組み込んだ状態、即ち、前記スクリーンガイドの自由端に前記ワイヤの一端を連結し、該ワイヤの他端を前記第２縦枠杆の所定の位置に予め連結した状態にし、その状態で、前記スクリーン枠の上下の横枠杆と左右の第１及び第２の縦枠杆とを前記建物開口部に取り付けなければならなかったため、施工性に難点があった。
【先行技術文献】
【特許文献】
【０００５】
【特許文献１】特開２００８−２２３２５９号公報
【特許文献２】特開２０００−３３７０５４号公報
【発明の概要】
【発明が解決しようとする課題】
【０００６】
本発明の技術的課題は、前記スクリーンガイドとワイヤとからなる平行移動機構を備えたスクリーン装置において、スクリーン枠を予め建物開口部に取り付けた状態で前記ワイヤの端部を前記スクリーン枠の縦枠杆に簡単に連結することができるように構成することにより、前記スクリーン装置を建物開口部に組み付ける際の施工性を向上させることにある。
【課題を解決するための手段】
【０００７】
前記課題を解決するため、本発明のスクリーン装置は、左右何れか一方の第１の縦枠杆及び他方の第２の縦枠杆と、上方の横枠杆及び下方の横枠杆とを有するスクリーン枠；
前記スクリーン枠内に開閉自在に張設された横引き式のスクリーン；上端を前記上方の横枠杆に案内されることにより前記スクリーン枠内に横移動自在なるように配設され、前記スクリーンを開閉操作する開閉操作杆；前記下方の横枠杆に沿うように配設されて前記スクリーンの下端部をガイドし、一方の固定端が前記第１の縦枠杆の下端部に固定されると共に、他方の自由端が前記開閉操作杆の下端部の導入口を通じて該開閉操作杆の内部に出入り自在に導入された、可撓性を有するスクリーンガイド；一方の第１端が前記スクリーンガイドの自由端に連結され、他方の第２端が、前記開閉操作杆の上端部から前記第２の縦枠杆の上端部を経て該第２の縦枠杆の内部に導入され、該第２の縦枠杆に連結されたワイヤ；前記第２の縦枠杆の上端部に着脱自在に取り付けられ、該第２の縦枠杆内に導入される前記ワイヤの向きを横向きから下向きに変向する変向部材と、前記第２の縦枠杆に着脱自在且つ位置調整可能に取り付けられ、前記変向部材より下方の位置で前記ワイヤの第２端を前記第２の縦枠杆に連結する連結部材とを有するワイヤ連結装置を；有することを特徴とする。
【０００８】
本発明において、前記スクリーン枠の前記第２の縦枠杆は、凹形の断面形状を有していて、凹部を前記開閉操作杆側に向けた姿勢で配設され、また、該第２の縦枠杆は、前記凹部の両側に位置する左右の側壁と、該左右の側壁の内側面の相対する位置に上下方向に延在するように形成されたリブとを有し、前記変向部材は、前記第２の縦枠杆内に嵌入する嵌入部と、該第２の縦枠杆に係止する係止部とを有し、前記連結部材は、前記リブを挟んで相対する第１部材及び第２部材と、前記スクリーン枠の内側からの回転操作により前記第１部材と第２部材とを締め付けたり緩めたりする取付螺子とを有していて、該取付螺子で前記第１部材と第２部材とを締め付けることにより前記リブに固定され、前記取付螺子で前記第１部材と第２部材とを緩めることにより前記リブに沿って位置調整可能になる。
【０００９】
前記変向部材と連結部材とは、相互に合体可能である。このため、前記変向部材は、前記嵌入部に形成された左右一対の脚部を有し、該脚部を前記連結部材の第１部材と第２部材とで挟持させることにより、該連結部材と前記変向部材とが合体されるように構成されている。
【発明の効果】
【００１０】
本発明によれば、スクリーンガイドに一端を連結されたワイヤの他端を、スクリーン枠の第２の縦枠杆に、該第２の縦枠杆に対して着脱自在の変向部材と連結部材とからなるワイヤ連結装置によって連結するようにしたので、前記スクリーン枠を予め建物開口部に組み付けた後に、前記ワイヤの他端を前記第２の縦枠杆に簡単に連結することができ、この結果、前記スクリーン装置を建物開口部に組み付ける際の施工性が向上する。
【図面の簡単な説明】
【００１１】
【図１】本発明に係るスクリーン装置の部分破断正面図である。
【図２】図１のＩＩ−ＩＩ線での断面図である。
【図３】図１のＩＩＩ−ＩＩＩ線での断面図である。
【図４】図１のＩＶ−ＩＶ線での断面図である。
【図５】図１において第２の縦枠杆の上端部をスクリーン枠の内側から見た状態の要部斜視図である。
【図６】図５の一部の部品を省略した状態の分解斜視図である。
【図７】変向部材の横断面図である。
【図８】変向部材と連結部材とを合体した状態の斜視図である。
【図９】（ａ）は、ワイヤ連結装置でワイヤの端部を第２の縦枠杆内に導入する前の状態を示す要部斜視図、（ｂ）は同状態を示す断面図である。
【図１０】（ａ）は、前記ワイヤの端部を第２の縦枠杆内に導入した状態を示す要部斜視図、（ｂ）は同状態を示す断面図である。
【発明を実施するための形態】
【００１２】
図は本発明に係るスクリーン装置の一実施形態を示すもので、このスクリーン装置は、遮光、断熱、目隠し、防虫、花粉の侵入防止等の目的のため建物の窓や出入り口等の建物開口部に取り付けて使用するものである。
【００１３】
図１−図３に示すように、前記スクリーン装置は、左方の第１の縦枠杆２ａ及び右方の第２の縦枠杆２ｂと、上方の横枠杆３ａ及び下方の横枠杆３ｂとからなる矩形のスクリーン枠１を有している。該スクリーン枠１の内部には、上端を前記上方の横枠杆３ａに案内されて横移動自在の開閉操作杆４と、該開閉操作杆４と前記第１の縦枠杆２ａとの間の位置に上端を前記上方の横枠杆３ａに案内されて横移動自在且つ自身の軸線を中心に回転自在なるように配設され、内蔵したコイルばね６の弾性力を巻取力としてスクリーンを巻き取る巻軸５と、一端を前記巻軸５に連結され且つ他端を前記第１の縦枠杆２ａに連結された第１のスクリーン７と、一端を前記巻軸５に連結され且つ他端を前記開閉操作杆４に連結された第２のスクリーン８と、前記巻軸５と第１及び第２のスクリーン８との下端部の移動を案内する溝形断面で可撓性を有するスクリーンガイド９とが配設されている。
【００１４】
前記開閉操作杆４は、角形をした金属製の中空部材であって、その上端にローラ取付部材１１が連結され、該ローラ取付部材１１には左右一対のローラ１２が回転自在に取り付けられていて、該ローラ１２が、前記上方の横枠杆３ａの内部に形成された左右一対のレール１３上に転動自在に載置されることにより、該開閉操作杆４が、前記ローラ１２とレール１３とによって前記上方の横枠杆３ａに吊り下げられ、その状態で該上方の横枠杆３ａに沿って横移動自在となっている。
また、前記開閉操作杆４の下端には、ガイド部材１４が連結され、該ガイド部材１４から下方に延出する左右一対のガイド壁１４ａの間に、前記スクリーン枠１の下方の横枠杆３ｂが配置されることにより、該横枠杆で前記開閉操作杆４の下端の横移動が案内されるようになっている。
図中の符号１５は、前記開閉操作杆４の前面と後面とに取り付けられた開閉操作用の把手である。
【００１５】
前記巻軸５は、円筒形をした金属製の中空部材であって、その上端に摺動軸取付部材１６が連結され、該摺動軸取付部材１６には、図１及び図９（ａ）から分かるように、両端に円形部１７ａを有する摺動軸１７が取り付けられ、該摺動軸１７の円形部１７ａが、前記上方の横枠杆３ａの前記一対のレール１３上に摺動自在に載置されることにより、該巻軸５が、前記摺動軸１７とレール１３とによって前記上方の横枠杆３ａに吊り下げられ、その状態で該上方の横枠杆３ａに沿って摺動により横移動自在となっている。
また、前記巻軸５の下端５ａは、図４からも分かるように、自由端として前記スクリーンガイド９の内部に嵌合し、該スクリーンガイド９によって移動が案内されるようになっている。
【００１６】
前記第１及び第２のスクリーン７，８は、互いに同じ素材で形成されたもので、上下幅及び左右幅も互いに等しく、該第１及び第２のスクリーン７，８の各々の一端は、前記巻軸５の直径方向の一端と他端とに連結され、前記第１及び第２のスクリーン７，８の各々の他端は、凹状の断面形状を有する前記第１の縦枠杆２ａと前記開閉操作杆４とに、係止部材７ａ，８ａを介してそれぞれ連結されている。また、前記第１及び第２のスクリーン７，８の上端部は前記上方の横枠杆３ａ内に嵌合し、下端部は前記スクリーンガイド９内に嵌合することにより、該上方の横枠杆３ａとスクリーンガイド９とによってそれぞれ移動が案内されるようになっている。
【００１７】
前記第１及び第２の縦枠杆２ａ，２ｂは、各々の凹部を相互に向き合う方向、即ち、前記スクリーン枠１の内側に向けた姿勢で配設されており、従って、前記第２の縦枠杆２ｂの凹部は、前記開閉操作杆４と向き合っていることになる。
【００１８】
そして、前記開閉操作杆４を図１の右方向に移動させると、前記第１及び第２のスクリーン７，８が前記巻軸５から引き出されて使用状態（閉鎖状態）になり、前記開閉操作杆４を図１の左方向に移動させると、前記第１及び第２のスクリーン７，８が前記巻軸５に巻き取られて不使用状態（開放状態）になる。
【００１９】
前記巻軸５は、前記第１及び第２のスクリーン７，８を巻き取って該スクリーンが開放状態になったときには、前記第１の縦枠杆２ａの凹部内に嵌合する位置まで移動して、該第１の縦枠杆２ａと前記開閉操作杆４とで覆い隠された状態になり、一方、前記第１及び第２のスクリーン７，８が引き出されて該スクリーンが閉鎖状態となったときには、前記第１の縦枠杆２ａと前記開閉操作杆４とのほぼ中間位置まで移動する。
【００２０】
また、前記スクリーンガイド９は、図４に示すような溝形をした合成樹脂製の複数のガイド駒２０を、底壁２０ａの上面に沿って延びるテープ状をした金属製の可撓性ある連結帯２１で順次連結することにより形成されたもので、溝側に向けて湾曲可能であり、前記スクリーン枠１の下方の横枠杆３ｂ上に、前記ガイド駒２０の底面の窪み２０ｂ内に該下方の横枠杆３ｂが嵌合する状態で、該横枠杆３ｂに沿うように配設されている。そして、該スクリーンガイド９の一端は、固定端９ａとして前記第１の縦枠杆２ａの下端部に固定され、他端は、自由端９ｂとして、前記開閉操作杆４の下端部に形成された導入口４ａを通じて該開閉操作杆４の内部に出入り自在に導入されている。
【００２１】
図１に示すように、前記スクリーンガイド９の自由端９ｂには、ワイヤ２４の一方の第１端２４ａが連結具２５によって連結され、該ワイヤ２４の他方の第２端２４ｂは、前記開閉操作杆４の上端部に形成されたワイヤ導出孔４ｂから前記上方の横枠杆３ａ内に導出され、該上方の横枠杆３ａの端部に連結された端部キャップ２６を経て、前記第２の縦枠杆２ｂの上端部に取り付けられた変向部材２８により向きを横向きから下向きに変えられたあと、連結部材２９によって該第２の縦枠杆２ｂの内部に、適切なテンションを付与することができるように位置調整可能に連結されている。
【００２２】
前記スクリーンガイド９とワイヤ２４とは、前記開閉操作杆４の移動操作時に、該開閉操作杆４の姿勢を垂直に保持して安定的に平行移動させるための、平行移動機構を形成するものである。このような平行移動機構を設けることにより、前記開閉操作杆４を図１の状態から左方向に移動させて前記第１及び第２のスクリーン７，８を開放するときは、前記スクリーンガイド９の自由端９ｂが該開閉操作杆４の内部に進入して行くことで、該開閉操作杆４の下端部が上端部より先行するのが防止されて該開閉操作杆４の姿勢が垂直に保たれ、前記第１及び第２のスクリーン７，８を閉鎖するため前記開閉操作杆４を図１の右方向に移動させるときには、前記スクリーンガイド９の自由端９ｂが前記開閉操作杆４から順次引き出されることで、該開閉操作杆４の下端部が上端部より先行するのが防止されて該開閉操作杆４の姿勢が垂直に保たれる。
【００２３】
前記変向部材２８と連結部材２９とは、前記ワイヤ２４の第２端２４ｂを前記第２の縦枠杆２ｂの適切な位置に連結するためのワイヤ連結装置２７を構成するもので、それぞれ合成樹脂又は金属によって形成されている。前記変向部材２８及び連結部材２９の構成と前記第２の縦枠杆２ｂに対する取り付け態様とについて、図５−図７を参照して詳細に説明する。
【００２４】
先ず、前記第２の縦枠杆２ｂは、図６から分かるように、凹状の断面形状を有するもので、建物開口部の側枠に螺子３１（図９（ａ）参照）で固定される主壁３２と、該主壁３２の幅方向の両側端部からスクリーン枠１の内側即ち前記第１の縦枠杆２ａ側に向けて突出する左右の側壁３３とを有し、該左右の側壁３３の内側面の相対する位置に、上下方向に延びるリブ３４が形成されている。該リブ３４と前記主壁３２との間には、前記変向部材２８及び連結部材２９の一部が入り込み得る大きさの隙間が確保されており、また、前記リブ３４の上端は、前記側壁３３の上端と同位置にはなく、該側壁３３の上端より低位置を占めている。
【００２５】
前記変向部材２８は、図５−図７に示すように、前記第２の縦枠杆２ｂの内部に嵌入する嵌入部２８ａと、該嵌入部２８ａの上端に形成されて前記第２の縦枠杆２ｂの上端に係止する係止部２８ｂとを有し、前記嵌入部２８ａは、凹状の平面視形状を有する上方の主体部２８ｃと、該主体部２８ｃから下方に延出する延長部２８ｄとからなっている。
【００２６】
前記主体部２８ｃは、前記第２の縦枠杆２ｂの内部にほぼ丁度嵌合するような大きさ及び形状に形成されていて、中央壁部３６と、左右の側壁部３７とを有し、該左右の側壁部３７の上端に、外側に張り出す前記係止部２８ｂがそれぞれ形成され、該係止部２８ｂが、前記第２の縦枠杆２ｂの左右の側壁３３の上端に当接して係止している。また、前記左右の側壁部３７の外面には、縦向きに延びるリブ嵌入溝３８がそれぞれ形成され、該リブ嵌入溝３８内に前記第２の縦枠杆２ｂのリブ３４が嵌入している。そして、前記第２の縦枠杆２ｂの側壁３３上端への前記係止部２８ｂの係止と、前記リブ嵌入溝３８内への前記リブ３４の嵌入とにより、前記変向部材２８が前記第２の縦枠杆２ｂの上端に載置状態で着脱自在に取り付けられている。
【００２７】
前記主体部２８ｃの左右の側壁部３７の下端部外面は、下方に行くほど次第に第２の縦枠杆２ｂの側壁３３の内面から離れる方向に傾斜する傾斜面３７ａに形成されている。これは、後で説明するように前記変向部材２８を第２の縦枠杆２ｂの内部に上方から嵌入させる際に、その嵌入を円滑に行うことができるようにするためである。
【００２８】
前記延長部２８ｄは、左右一対の脚部４０と、該一対の脚部４０の間に位置する中間壁部４１とを有し、該中間壁部４１は、前記脚部４０よりも、前記第２の縦枠杆２ｂの主壁３２側に若干後退した状態に形成され、該中間壁部４１と前記脚部４０との間に隙間４２が形成されている。また、前記延長部２８ｄの全体の横幅は、前記一対のリブ３４，３４の対向間隔より僅かに小さく形成されている。
【００２９】
前記中間壁部４１の前面には、上下に延びるワイヤ挿通溝４３が形成され、該ワイヤ挿通溝４３の上端は、前記主体部２８ｃの中央壁部３６を上下方向に貫通するワイヤ挿通孔４４に連通し、前記主体部２８ｃの上端から前記ワイヤ挿通孔４４内に挿入された前記ワイヤ２４が、前記ワイヤ挿通溝４３を通って前記連結部材２９まで下向きに延び、その先端即ち第２端２４ｂが該連結部材２９に連結されている。
また、前記中間壁部４１には、逃げ孔４５が形成されている。この逃げ孔４５は、後述するように前記変向部材２８と前記連結部材２９とを合体した際に、取付螺子４６の先端を嵌入させて逃がすためのものである。
【００３０】
一方、前記連結部材２９は、図５及び図６から分かるように、前記リブ３４を挟んで相対する第１部材４８及び第２部材４９と、前記スクリーン枠１の内側からの回転操作により前記第１部材４８と第２部材４９とを締め付けたり緩めたりする前記取付螺子４６とを有している。
【００３１】
前記第１部材４８は、前記第２の縦枠杆２ｂの外側に向けて台状に盛り上がった中央部４８ａと、該中央部４８ａの左右に傾斜部４８ｂを介して連なる平坦な挟持部４８ｃとを有し、前記中央部４８ａには、前記取付螺子４６を挿通するための螺子挿通孔４８ｄが形成されている。
また、前記第２部材４９は、前記第２の縦枠杆２ｂの外側に向けて台状に盛り上がった中央部４９ａと、該中央部４９ａの左右に傾斜部４９ｂを介して連なる平坦な挟持部４９ｃとを有し、前記中央部４９ａには、前記取付螺子４６をねじ込むための螺子孔４９ｄが形成されると共に、前記ワイヤ２４の第２端２４ｂが連結されている。
【００３２】
そして、前記取付螺子４６で前記第１部材４８と第２部材４９とを締め付けることにより、該第１部材４８と第２部材４９との挟持部４８ｃ，４９ｃ間に前記リブ３４が挟持され、それによって前記連結部材２９が前記リブ３４に固定され、前記取付螺子４６を緩めて前記第１部材４８と第２部材４９との締め付けを解除することにより、前記連結部材２９が前記リブ３４に沿って位置調整可能になる。
【００３３】
前記変向部材２８と連結部材２９とは、前記スクリーン装置を建物開口部に組み付けるとき、図８に示すように相互に合体した状態にされ、その状態から、図９（ａ）、（ｂ）及び図１０（ａ）、（ｂ）に示す工程を経て、図１及び図５に示すように前記第２の縦枠杆２ｂに取り付けることにより、前記ワイヤ２４の第２端２４ｂを前記第２の縦枠杆２ｂに連結するものである。以下、前記変向部材２８と連結部材２９とを合体させる方法と、前記第２の縦枠杆２ｂに対するワイヤ２４の連結工程とについて説明する。
【００３４】
まず、前記変向部材２８と連結部材２９とを合体させるときは、図６及び図８から分かるように、前記連結部材２９の取付螺子４６を緩めて前記第１部材４８と第２部材４９の締め付けを解除し、前記第２部材４９の傾斜部４９ｂを、前記変向部材２８の延長部２８ｄの中間壁部４１と脚部４０との間に形成された隙間４２内に嵌入させることにより、前記第１部材４８の挟持部４８ｃと第２部材４９の挟持部４９ｃとの間に前記脚部４０を挟み込む。そして、その状態で前記取付螺子４６を締め込み、前記第１部材４８と第２部材４９との間に前記脚部４０を挟持させることにより、前記変向部材２８と連結部材２９とが相互に合体される。このとき、前記取付螺子４６の先端は、前記延長部２８ｄの逃げ孔４５内に嵌合する。
【００３５】
また、前記脚部４０の厚みは前記リブ３４の厚みより大きく形成されているため、前記第１部材４８の挟持部４８ｃと第２部材４９の挟持部４９ｃとの間に前記リブ３４が自由に嵌入することができる。
【００３６】
次に、前記変向部材２８と連結部材２９とによるワイヤ２４の連結工程は、前記スクリーン枠１内に前記開閉操作杆４と、前記巻軸５と、前記第１及び第２のスクリーン７，８と、前記スクリーンガイド９とをセットすると共に、該スクリーンガイド９の自由端９ｂに前記ワイヤ２４の第１端２４ａを連結し、且つ、該ワイヤ２４の第２端２４ｂに前記連結部材２９を連結して、該連結部材２９と前記変向部材２８とを前述したように合体し、その状態で、前記スクリーン枠１の第１及び第２の縦枠杆２ａ，２ｂと、上方及び下方の横枠杆３ａ，３ｂとを、建物開口部に固定した後に行われる。
【００３７】
先ず、図９（ａ）、（ｂ）に示すように、合体した前記変向部材２８と連結部材２９とを、変向部材２８の凹部を下に向け且つ連結部材２９を前方側にした横向きの姿勢で、上方の横枠杆３ａ（不図示）の内部を該横枠杆に沿って移動させ、該横枠杆３ａの端部に連結された端部キャップ２６の開口を通じて前記第２の縦枠杆２ｂ内に、図９（ａ）に矢印で示すように、次第に縦向きとなるように姿勢変向しながら嵌入させる。図中の符号５１は、前記端部キャップ２６を建物開口部に固定する螺子である。
【００３８】
そして、図１０（ａ）、（ｂ）に示すように、第２の縦枠杆２ｂのリブ３４を、前記連結部材２９の第１部材４８と第２部材４９との挟持部４８ｃ，４９ｃ間に挿通させて前記変向部材２８のリブ嵌入溝３８内に嵌入させると共に、該変向部材２８の係止部２８ｂを前記第２の縦枠杆２ｂの側壁３３の上端に係止させた状態にする。
【００３９】
続いて、前記取付螺子４６を緩めて前記連結部材２９を前記変向部材２８から分離し、そのあと、図１０（ａ）に矢印で示すように該連結部材２９を前記リブ３４に沿って下方に移動させ、前記ワイヤ２４に適宜のテンションが付与される位置で前記取付螺子４６を締め付けることにより、前記第１部材４８と第２部材４９との挟持部４８ｃ，４９ｃ間に前記リブ３４が挟持されて前記連結部材２９がその位置に固定され、ワイヤ２４の前記第２の縦枠杆２ｂに対する連結作業が完了する。
【００４０】
このとき、前記変向部材２８は、テンションがかけられた前記ワイヤ２４によって下向きに押され、前記第２の縦枠杆２ｂの上端に押し付けられた状態になるため、上下にずれ動いて該第２の縦枠杆２ｂから外れることはなく、また、前記リブ嵌入溝３８に嵌合する前記リブ３４に係止することにより、前記第２の縦枠杆２ｂの凹部の深さ方向に横ずれすることもない。
【００４１】
前記変向部材２８と連結部材２９とは、前記スクリーン装置のメンテナンスを行う際などに、図８に示すように相互に合体させた状態で前記第２の縦枠杆２ｂから取り外すことができ、それによって前記ワイヤ２４が前記第２の縦枠杆２ｂから取り外される。その取り外しは、前述したワイヤ２４の連結工程と逆の工程を辿ることによって行うことができる。
【００４２】
前記スクリーン装置は、前後対称に形成されていて、前後反転して使用することができる。この場合、スクリーンの開閉方向は左右逆になる。
【００４３】
また、前記実施形態のスクリーン装置は、スクリーン枠１内を移動する巻軸５によって第１及び第２の２つのスクリーン７，８を巻き取るように構成されているが、本発明は、第１の縦枠杆２ａ側に定置的に配設された１つの巻軸に１つのスクリーンを巻き取るように構成されたスクリーン装置にも適用することができる。あるいは、巻軸でスクリーンを巻き取る方式ではなく、蛇腹状あるいはハニカム状のスクリーンを伸縮させて開閉する方式のスクリーン装置にも本発明は適用することができる。
【符号の説明】
【００４４】
１      スクリーン枠
２ａ      第１の縦枠杆
２ｂ      第２の縦枠杆
３ａ      上方の横枠杆
３ｂ      下方の横枠杆
４      開閉操作杆
４ａ      導入口
７，８      スクリーン
９      スクリーンガイド
９ａ      固定端
９ｂ      自由端
２４      ワイヤ
２４ａ      第１端
２４ｂ      第２端
２７      ワイヤ連結装置
２８      変向部材
２８ａ      嵌入部
２８ｂ      係止部
２９      連結部材
３３      側壁
３４      リブ
４０      脚部
４６      取付螺子
４８      第１部材
４９      第２部材
【図１】
2015172316.tif 000003
【図２】
2015172316.tif 000004
【図３】
2015172316.tif 000005
【図４】
2015172316.tif 000006
【図５】
2015172316.tif 000007
【図６】
2015172316.tif 000008
【図７】
2015172316.tif 000009
【図８】
2015172316.tif 000010
【図９】
2015172316.tif 000011
【図１０】
2015172316.tif 000012